(57)【要約】【課題】  リモートエンジンスタート機能およびキーレスエントリやパッシブ機能を車両で実行させるための指令信号の通信が可能な車両用制御システムにおいて、両機能を１つの周波数帯で通信すると共に、キーレスエントリやパッシブ機能においてリレーアタックから防御するセキュリティの高い通信を行う。【解決手段】  車両の近傍等からエンジン又は開閉体の施解錠を制御する近傍制御信号と、遠隔からエンジンを制御する遠隔制御信号を送信可能な携帯機１０と、携帯機が送信する信号を受信する制御装置２０とを備え、携帯機は、単一中心周波数で遠隔制御信号を、複数の中心周波数で近傍制御信号を複数に分割した分割信号のすべてを、同じ送信アンテナ１１で送信し、制御装置は、単一中心周波数で遠隔制御信号を、携帯機が分割信号を送信した際の周波数に対応した中心周波数で分割信号のすべてを同じ受信アンテナ２１で受信する制御システム１００。【選択図】  図１
2015189245.tif 000002
【特許請求の範囲】
【請求項１】
車両の近傍から前記車両の開閉体の施解錠を制御する近傍制御信号と、
遠隔から前記車両のエンジンを制御する遠隔制御信号と、
を車両へ送信可能な携帯機と、
前記車両に設けられ、前記携帯機が送信する信号を受信する制御装置と、
を備え、
前記携帯機は、
単一の中心周波数で前記遠隔制御信号の全体を、および、
複数の中心周波数で前記近傍制御信号の全体を複数に分割した分割信号のすべてを、
同じ送信アンテナで送信し、
前記制御装置は、
前記単一の中心周波数で前記遠隔制御信号の全体を、および、
前記携帯機が前記分割信号を送信した際の周波数に対応した中心周波数で前記分割信号のすべてを、
同じ受信アンテナで受信する、
制御システム。
【請求項２】
前記携帯機は、前記遠隔制御信号を送信する前記単一の中心周波数と、前記近傍制御信号の最初の分割信号を送信する中心周波数とを、同じ周波数で送信し、
前記制御装置は、
前記単一の中心周波数で受信を待機し、
受信した信号の内容に基づき前記遠隔制御信号または前記近傍制御信号の最初の分割信号のいずれであるかを判別し、
受信した信号が前記近傍制御信号の最初の分割信号であった場合には、前記携帯機が前記分割信号を送信した際の周波数に対応した中心周波数に切り替えて受信する、
ことを特徴とする請求項１に記載の制御システム。
【請求項３】
前記携帯機は、前記単一の中心周波数で前記遠隔制御信号と、前記単一の中心周波数と同じ中心周波数および異なる中心周波数を含む前記複数の中心周波数で前記近傍制御信号の分割信号のすべてを送信し、
前記制御装置は、
前記単一の中心周波数および前記複数の中心周波数のみで使用される周波数で受信を待機し、
受信した信号の周波数が前記複数の中心周波数のみで使用される周波数と同じ周波数であった場合には、受信した信号の内容に基づき前記遠隔制御信号または前記近傍制御信号の最初の分割信号のいずれであるかを判別せずに、前記携帯機が前記分割信号を送信した際の周波数に対応した中心周波数に切り替えて受信し、
受信した信号の周波数が前記単一の中心周波数と同じ周波数であった場合には、受信した信号の内容に基づき前記遠隔制御信号または前記近傍制御信号の最初の分割信号のいずれであるかを判別し、受信した信号が前記近傍制御信号の最初の分割信号であった場合には、前記携帯機が前記分割信号を送信した際の周波数に対応した中心周波数に切り替えて受信する、
ことを特徴とする請求項１に記載の制御システム。
【請求項４】
前記携帯機は、前記遠隔制御信号を送信する前記単一の中心周波数と、前記近傍制御信号の複数のすべての分割信号を送信する中心周波数とを、異なる周波数で送信し、
前記制御装置は、
前記単一の中心周波数および前記携帯機が前記近傍制御信号の分割信号を送信した中心周波数で受信を待機し、
受信した信号の周波数が前記近傍制御信号の分割信号を送信する中心周波数と同じであった場合には、受信した信号の内容に基づき前記遠隔制御信号または前記近傍制御信号の最初の分割信号のいずれであるかを判別せずに、前記携帯機が前記分割信号を送信した際の周波数に対応した中心周波数に切り替えて受信する、
ことを特徴とする請求項１に記載の制御システム。
【請求項５】
車両へ、前記車両の近傍から前記車両の開閉体の施解錠を制御する近傍制御信号と、遠隔から前記車両のエンジンを制御する遠隔制御信号とを送信可能であり、
単一の中心周波数で前記遠隔制御信号の全体を、および、
複数の中心周波数で前記近傍制御信号の全体を複数に分割した分割信号のすべてを、
同じ送信アンテナで送信する、
携帯機。
【請求項６】
車両の近傍から前記車両の開閉体の施解錠を制御する近傍制御信号と、遠隔から前記車両のエンジンを制御する遠隔制御信号とを送信可能な携帯機と通信可能であり、
前記携帯機が単一の中心周波数で送信した前記遠隔制御信号の全体を受信し、および、前記携帯機が複数の中心周波数で分割して送信した前記近傍制御信号の分割信号のすべてを、前記携帯機が前記分割信号を送信した際の周波数に対応した中心周波数で、
同じ送信アンテナで受信する、
制御装置。
【請求項７】
車両の近傍から前記車両を制御する近傍制御信号と、
遠隔から前記車両を制御する遠隔制御信号と、
を車両へ送信可能な携帯機と、
前記車両に設けられ、前記携帯機が送信する信号を受信する制御装置と、
を備え、
前記携帯機は、
単一の中心周波数で前記遠隔制御信号の全体を、および、
複数の中心周波数で前記近傍制御信号の全体を複数に分割した分割信号のすべてを、
同じ送信アンテナで送信し、
前記制御装置は、
前記単一の中心周波数で前記遠隔制御信号の全体を、および、
前記携帯機が前記分割信号を送信した際の周波数に対応した中心周波数で前記分割信号のすべてを、
同じ受信アンテナで受信する、
制御システム。
【発明の詳細な説明】
【技術分野】
【０００１】
本発明は、携帯機、制御装置、およびその携帯機と制御装置を使った車両用制御システムに関する。
【背景技術】
【０００２】
従来から、携帯機と車両の間で、リモートエンジンスタートのための信号、キーレスエントリのための信号、パッシブ機能のための信号が送受信されることが広く知られている。ここで、リモートエンジンスタートとは、使用者が携帯機を操作して比較的遠隔にある車両のエンジンを始動または停止する機能のことである。また、キーレスエントリとは、使用者が携帯機を操作して比較的近傍にある車両のドア等（開閉体）を施解錠するなどの制御を行う機能のことである。また、パッシブ機能とは、使用者が携帯機を操作することなくドアハンドルやドアノブスイッチ等を操作した場合にドアを施解錠する機能や、使用者が携帯機を操作することなく車両内でプッシュスタートスイッチ等を操作した場合にエンジンを始動／停止する機能のことを言う。
【０００３】
例えば、特許文献１は、通信端末とその通信相手とが無線通信を行う際に、その通信成立の信頼性を向上することを目的とした発信電波変調方式切換システムを開示する。この発信電波変調方式切換システムは、車両と電子キー間の通信方式として、スマート動作やワイヤレス施解錠動作等のときはノイズに強いＦＭ変調が選択され、リモートエンジンスタート動作等のときは遠くまで届くＡＭ変調が選択される。また、ＡＭ出力用の操作ボタンが長押し操作された際には、変調方式がそれまでのＡＭ変調からＦＭ変調に強制切り換えされて、ワイヤレス通信が実行される。
【０００４】
また、特許文献２は、複数の無線周波数を送信する携帯機と、同様に符号化された無線受信機からなる車両用ドア解放システムを開示する。受信機の復号サイクルは、チャネル、周波数レンジ、信号のフォーマットにより様々であるが、複数の無線周波数の信号として９００〜９０２．３ＭＨｚの周波数を用いて２．５秒のサイクルで行われる。携帯機からの信号の送信に従って、最初の有効な信号で受信を開始して、そのサイクル時間の間受信を継続する。そのサイクル中に受信されたすべての信号は、１つの送信として解釈される。
【０００５】
また、特許文献３は、無線通信に要する電力の消費量を低減するとともに、無線通信が短時間で成立するマルチチャネル通信システムを開示する。このマルチチャネル通信システムは、複数のチャネルで電波を送信可能な電子キーと、所定周期でポーリング動作を行うことで電子キーから送信される電波を受信可能な車載通信制御装置とを備える。電子キーは、第１のチャネルにて複数の第１チャネルフレームを連続して送信した後、第１のチャネルの電波の受信を妨害するノイズ環境下でも無線通信を成立させるべく、第１のチャネルと異なる周波数の第２のチャネルにて複数の第２チャネルフレームを連続して送信する。各第２チャネルフレームに含まれるデータに時間長のダミーを追加して当該第２チャネルフレームのフレーム長を伸張させている。
【０００６】
また、特許文献４は、スマートシステムにおいて、車載システムから携帯機へのリクエスト信号の電波強度を所望の範囲内に抑えると共に、ノイズ耐性も悪化させないで、リクエスト信号の到達範囲を大きくすることを目的とした無線通信システムを開示する。この無線通信システムは、拡散符号を掛け合わすことによりデータ信号を広帯域化するスペクトラム拡散方式で、所定のＬＦデータを拡散変調して拡散データ信号を生成し、ＬＦ波帯を中心とする変調信号へ拡散データ信号を変換すると共に増幅して、ＬＦ周波数帯を用いて携帯機へリクエスト信号を送信する。
【０００７】
また、特許文献５は、リレーアタックを判別することを目的としたスマートシステムを開示する。このスマートシステムにおいては、車載システムがＬＦ帯域内のリクエスト信号を無線送信し、携帯機はそのリクエスト信号を受信し、ＲＦ帯域のアンサー信号を用いてリクエスト信号を変調した結果のキャリア変調信号を無線送信する。そして、車載システムは、リクエスト信号をローカルキャリア信号として取得すると共に、キャリア変調信号を受信し、取得したそのローカルキャリア信号の周波数と、受信したキャリア変調信号に含まれるリクエスト信号の周波数とが一致している場合は、スマート駆動を許可し、一致していない場合は、スマート駆動を許可しない。
【０００８】
リモートエンジンスタート機能とキーレスエントリやパッシブ機能とを備えた携帯機で車載ＥＣＵ（Ｅｌｅｃｔｒｏｎｉｃ Ｃｏｎｔｒｏｌ Ｕｎｉｔ）へ指令信号を送信する場合、キーレスエントリやパッシブ機能では、防犯の観点から、車両から遠い位置（例えば、数百ｍ〜１Ｋｍ）での操作は禁止し、ある程度近い距離（数ｍ〜数十ｍ）でしかドアの開錠はできないようにしている。そのため、携帯機は、ある程度近い距離まで届く程度の低い送信強度で、指令信号を送信している。
【０００９】
それに対し、リモートエンジンスタート機能では、使用者の利便性の観点から、車両から遠い位置でも車両のエンジンを始動／停止できるようにしている。この場合、車両から遠い位置まで届く高い送信強度で、指令信号を送信している。
【００１０】
携帯機と車両との間の電波による無線通信においては、各国や地域の法規制により使用できる電波の周波数、強度、送信時間などが異なっている。例えば、携帯機と車載ＥＣＵとの間の通信に関して、通常上記特性に合わせて、９００ＭＨｚ帯のＵＨＦ（Ｕｌｔｒａ  Ｈｉｇｈ  Ｆｒｅｑｕｅｎｃｙ）波でリモートエンジンスタート機能の信号を送受信し、３１５ＭＨｚ帯のＵＨＦ波でキーレスエントリ機能やパッシブ機能の信号を送受信する。
【００１１】
このように、キーレスエントリ機能やパッシブエントリ機能とリモートエンジンスタート機能では使用する送信周波数が異なっており、それぞれの機能に合った要求特性（通信帯域等）に合わせてきていた。
【００１２】
しかし、別体の携帯機を複数保持することは煩わしく、一体にするニーズがある。そして、一体化に伴ってリモートエンジンスタート機能と、キーレスエントリ機能やパッシブエントリ機能の通信帯域を統一することが考えられる。リモートエンジンスタート機能とキーレスエントリ機能やパッシブエントリ機能で同じ通信帯域を使用する場合、リモートエンジンスタート機能が実現できるよう、車両から遠い位置でも操作可能な送信周波数に統一する必要がある。
【００１３】
上述のようにキーレスエントリ機能やパッシブエントリ機能は、セキュリティの観点から車両の近い位置でしか操作はできないようになっており、送信周波数自体も遠くまで届きにくい周波数（例えば３１５ＭＨｚ帯）となっていた。
【００１４】
しかし、リモートエンジンスタート機能に合わせて、遠くまで届きやすい周波（例えば９００ＭＨｚ帯）を使用する場合には、リレーアタックされる可能性があり、セキュリティ性が危惧される。
【先行技術文献】
【特許文献】
【００１５】
【特許文献１】特開２０１０−２２００８４号公報
【特許文献２】米国２００４０１７４２４６号公報
【特許文献３】特開２００９−２７８５９７号公報
【特許文献４】特開２０１３−０３２６４８号公報
【特許文献５】特開２０１３−１０８２５５号公報
【発明の概要】
【発明が解決しようとする課題】
【００１６】
そこで、本発明では、リモートエンジンスタート機能およびキーレスエントリやパッシブ機能を車両で実行させるための指令信号の送信が可能な携帯機、およびその携帯機と通信可能な制御装置、およびこれらの携帯機と制御装置を使った車両用制御システムにおいて、両機能を１つの周波数帯で通信すると共に、キーレスエントリやパッシブ機能においてリレーアタックから防御するセキュリティの高い通信を行うことのできる携帯機、制御装置、および車両用制御システムを提供する。
【課題を解決するための手段】
【００１７】
上記課題を解決するために、車両の近傍からその車両の開閉体の施解錠を制御する近傍制御信号と、遠隔から車両のエンジンを制御する遠隔制御信号と、を車両へ送信可能な携帯機と、車両に設けられ、携帯機が送信する信号を受信する制御装置と、を備え、携帯機は、単一の中心周波数で遠隔制御信号の全体を、および、複数の中心周波数で近傍制御信号の全体を複数に分割した分割信号のすべてを、同じ送信アンテナで送信し、制御装置は、単一の中心周波数で遠隔制御信号の全体を、および、携帯機が分割信号を送信した際の周波数に対応した中心周波数で分割信号のすべてを、同じ受信アンテナで受信する、制御システムが提供される。
これによれば、キーレスエントリやパッシブ機能とリモートエンジンスタート機能のそれぞれに応じた変調方式を行うことで、それぞれのセキュリティレベルに合わせた通信を行うことができ、キーレスエントリやパッシブ機能においてリレーアタックから防御できるセキュリティの高い通信を行う車両用制御システムを提供できる。また、キーレスエントリやパッシブ機能およびリモートエンジンスタート機能を同じアンテナで送信することで１つの周波数帯で通信を行うことができる。
【００１８】
さらに、携帯機は、遠隔制御信号を送信する単一の中心周波数と、近傍制御信号の最初の分割信号を送信する中心周波数とを、同じ周波数で送信し、制御装置は、単一の中心周波数で受信を待機し、受信した信号の内容に基づき遠隔制御信号または近傍制御信号の最初の分割信号のいずれであるかを判別し、受信した信号が近傍制御信号の最初の分割信号であった場合には、携帯機が分割信号を送信した際の周波数に対応した中心周波数に切り替えて受信することを特徴としてもよい。
これによれば、１つの周波数だけで受信待ちをするため、車両側の消費電力を抑えることができる。
【００１９】
さらに、携帯機は、単一の中心周波数で遠隔制御信号と、単一の中心周波数と同じ中心周波数および異なる中心周波数を含む複数の中心周波数で近傍制御信号の分割信号のすべてを送信し、制御装置は、単一の中心周波数および複数の中心周波数のみで使用される周波数で受信を待機し、受信した信号の周波数が複数の中心周波数のみで使用される周波数と同じ周波数であった場合には、受信した信号の内容に基づき遠隔制御信号または近傍制御信号の最初の分割信号のいずれであるかを判別せずに、携帯機が分割信号を送信した際の周波数に対応した中心周波数に切り替えて受信し、受信した信号の周波数が単一の中心周波数と同じ周波数であった場合には、受信した信号の内容に基づき遠隔制御信号または近傍制御信号の最初の分割信号のいずれであるかを判別し、受信した信号が近傍制御信号の最初の分割信号であった場合には、携帯機が分割信号を送信した際の周波数に対応した中心周波数に切り替えて受信することを特徴としてもよい。
これによれば、近傍隔制御信号を受信できる確率が増加する。
【００２０】
さらに、携帯機は、遠隔制御信号を送信する単一の中心周波数と、近傍制御信号の複数のすべての分割信号を送信する中心周波数とを、異なる周波数で送信し、制御装置は、単一の中心周波数および携帯機が近傍制御信号の分割信号を送信した中心周波数で受信を待機し、受信した信号の周波数が近傍制御信号の分割信号を送信する中心周波数と同じであった場合には、受信した信号の内容に基づき遠隔制御信号または近傍制御信号の最初の分割信号のいずれであるかを判別せずに、携帯機が分割信号を送信した際の周波数に対応した中心周波数に切り替えて受信することを特徴としてもよい。
これによれば、近傍制御信号を受信できる確率が増加する。
【００２１】
上記課題を解決するために、車両へ、車両の近傍から車両の開閉体の施解錠を制御する近傍制御信号と、遠隔から車両のエンジンを制御する遠隔制御信号とを送信可能であり、単一の中心周波数で遠隔制御信号の全体を、および、複数の中心周波数で近傍制御信号の全体を複数に分割した分割信号のすべてを、同じ送信アンテナで送信する携帯機が提供される。
これによれば、キーレスエントリやパッシブ機能とリモートエンジンスタート機能のそれぞれに応じた変調方式を行うことで、それぞれのセキュリティレベルに合わせた通信を行うことができ、キーレスエントリやパッシブ機能においてリレーアタックから防御できるセキュリティの高い通信を行う携帯機を提供できる。また、キーレスエントリやパッシブ機能およびリモートエンジンスタート機能を同じアンテナで送信することで１つの周波数帯で通信を行うことができる。
【００２２】
上記課題を解決するために、車両の近傍から車両の開閉体の施解錠を制御する近傍制御信号と、遠隔から車両のエンジンを制御する遠隔制御信号とを送信可能な携帯機と通信可能であり、携帯機が単一の中心周波数で送信した遠隔制御信号の全体を受信し、および、携帯機が複数の中心周波数で分割して送信した近傍制御信号の分割信号のすべてを、携帯機が分割信号を送信した際の周波数に対応した中心周波数で、同じ送信アンテナで受信する、制御装置が提供される。
これによれば、キーレスエントリやパッシブ機能とリモートエンジンスタート機能のそれぞれに応じた変調方式を行うことで、それぞれのセキュリティレベルに合わせた通信を行うことができ、キーレスエントリやパッシブ機能においてリレーアタックから防御できるセキュリティの高い通信を行う制御装置を提供できる。また、キーレスエントリやパッシブ機能およびリモートエンジンスタート機能を同じアンテナで送信することで１つの周波数帯で通信を行うことができる。
【００２３】
上記課題を解決するために、車両の近傍から車両を制御する近傍制御信号と、遠隔から車両を制御する遠隔制御信号と、を車両へ送信可能な携帯機と、車両に設けられ、携帯機が送信する信号を受信する制御装置と、を備え、携帯機は、単一の中心周波数で遠隔制御信号の全体を、および、複数の中心周波数で近傍制御信号の全体を複数に分割した分割信号のすべてを、同じ送信アンテナで送信し、制御装置は、単一の中心周波数で遠隔制御信号の全体を、および、携帯機が分割信号を送信した際の周波数に対応した中心周波数で分割信号のすべてを、同じ受信アンテナで受信する、制御システムが提供される。
これによれば、キーレスエントリやパッシブ機能とリモートエンジンスタート機能のそれぞれに応じた変調方式を行うことで、それぞれのセキュリティレベルに合わせた通信を行うことができ、キーレスエントリやパッシブ機能においてリレーアタックから防御できるセキュリティの高い通信を行う車両用制御システムを提供できる。また、キーレスエントリやパッシブ機能およびリモートエンジンスタート機能を同じアンテナで送信することで１つの周波数帯で通信を行うことができる。
【発明の効果】
【００２４】
以上説明したように、本発明によれば、リモートエンジンスタート機能およびキーレスエントリやパッシブ機能を車両で実行させるための指令信号の送信が可能な携帯機、およびその携帯機と通信可能な制御装置、およびこれらの携帯機と制御装置を使った車両用制御システムにおいて、両機能を１つの周波数帯で通信すると共に、キーレスエントリやパッシブ機能においてリレーアタックから防御するセキュリティの高い通信を行うことができる。
【図面の簡単な説明】
【００２５】
【図１】本発明に係る第一実施例の制御システムのブロック図。
【図２】本発明に係る第一実施例の携帯機において操作スイッチが操作された場合の制御ステップを示すフローチャート。
【図３】本発明に係る第一実施例の携帯機（変形例１）において操作スイッチが操作された場合の制御ステップを示すフローチャート。
【図４】本発明に係る第一実施例の携帯機において応答要求信号を受信した場合（パッシブ機能）の制御ステップを示すフローチャート。
【図５】本発明に係る第一実施例の携帯機（変形例２）において操作スイッチが操作された場合の制御ステップを示すフローチャート。
【図６】本発明に係る第一実施例の携帯機における遠隔操作信号を説明する説明図。
【図７】本発明に係る第一実施例の携帯機における近傍操作信号を説明する説明図。
【図８】本発明に係る第一実施例の携帯機（変形例）における近傍操作信号を説明する説明図。
【図９】本発明に係る第一実施例の携帯機における近傍操作信号の変調のしかたを説明する説明図。
【図１０】本発明に係る第一実施例の車両側の制御装置における近傍操作信号と遠隔操作信号の受信待ちを説明する説明図。
【図１１】本発明に係る第一実施例の車両側の制御装置における遠隔操作信号の受信待ちを説明する説明図。
【図１２】本発明に係る第一実施例の車両側の制御装置における近傍操作信号の受信待ちを説明する説明図。
【図１３】本発明に係る第一実施例の車両側の制御装置における受信待ちの制御ステップを示すフローチャート。
【図１４】本発明に係る第二実施例の車両側の制御装置における近傍操作信号と遠隔操作信号の受信待ちを説明する説明図。
【図１５】本発明に係る第二実施例の車両側の制御装置における受信待ちの制御ステップを示すフローチャート。
【図１６】従来技術に係る制御システムのブロック図。
【発明を実施するための形態】
【００２６】
以下では、図面を参照しながら、本発明に係る各実施例について説明する。
まず、本発明に係る実施例を述べる前に、図１６を参照して、従来技術における車両用制御システム１００Ｘについて説明する。制御システム１００Ｘは、車両に積載される制御装置２０Ｘと、その制御装置２０Ｘと無線通信を行う携帯機１０Ｘとを備える。
【００２７】
携帯機１０Ｘは、９００ＭＨｚ帯のＵＨＦ（Ｕｌｔｒａ  Ｈｉｇｈ  Ｆｒｅｑｕｅｎｃｙ）波でリモートエンジンスタート機能の指令信号を送受信するアンテナおよび双方向通信ＩＣ（Ｉｎｔｅｇｒａｔｅｄ  Ｃｉｒｃｕｉｔ）と、３１５ＭＨｚ帯のＵＨＦ波でキーレスエントリ機能の指令信号やパッシブ機能の応答信号を送信するアンテナおよびＵＨＦ送信機（送信ＩＣ）と、ＬＦ（Ｌｏｗ  Ｆｒｅｑｕｅｎｃｙ）帯の電波で車両からのパッシブ機能の応答要求信号を受信するアンテナと、これらのアンテナとＩＣを制御する制御部とを有する。
【００２８】
制御装置２０Ｘは、上述した携帯機１０Ｘに対応するように、９００ＭＨｚ帯のＵＨＦ波でリモートエンジンスタート機能の指令信号を送受信するアンテナおよび双方向通信ＩＣと、３１５ＭＨｚ帯のＵＨＦ波でキーレスエントリ機能の指令信号やパッシブ機能の応答信号を受信するアンテナおよびＵＨＦ受信機（受信ＩＣ）と、ＬＦ波で携帯機へパッシブ機能の応答要求信号を送信する送信するアンテナと、これらのアンテナとＩＣを制御する制御部とを有する。
【００２９】
使用者が携帯機を操作して車両のドア等を開閉するキーレスエントリ機能では、防犯の観点から、車両から数百メートルから１キロメートルと言った比較的遠く離れた位置での操作を禁止し、数メートルから１００メートルと言った比較的近い距離でしか機能しないようになっている。また、携帯機を携帯する使用者がドアハンドル等を操作した場合にドアを施解錠したり、車両内でプッシュスタートスイッチ等を操作した場合に携帯機の認証を行いエンジンを始動／停止したりするパッシブ機能では、防犯の観点に加えて、そもそも使用者が車両の近傍にいることが前提となるので、近い距離でしか機能しないようになっている。
【００３０】
一方、リモートエンジンスタート機能では、使用者の利便性の観点から、車両から比較的遠く離れた位置でも車両のエンジンを始動／停止できるようにしている。このような観点から、従来技術の制御システム１００Ｘにおいては、キーレスエントリ機能の指令信号やパッシブ機能の応答信号を送受信するためのアンテナ等と、リモートエンジンスタート機能の指令信号を送受信するためのアンテナ等とは別々に設けられ、それぞれの特性に適合するように異なる周波数を送受信するものとして構成されている。
【００３１】
＜第一実施例＞
まず、図１を参照して、従来技術における制御システム１００Ｘと対比して、本実施例の制御システム１００を説明する。制御システム１００は、車両に積載される制御装置２０と、その制御装置２０と無線通信を行う携帯機１０とを備える。携帯機１０は、９００ＭＨｚ帯のＵＨＦ波を送受信するアンテナ１１および双方向通信ＩＣ１２と、車両からのパッシブ機能の応答要求信号を受信するＬＦ波を受信するアンテナ１３と、これらのアンテナ（１１と１３）および双方向通信ＩＣ１２を制御する制御部１４とを有する。アンテナ１１および双方向通信ＩＣ１２は、制御装置２０を積載する車両と携帯機１０とが比較的離れた位置にある時にリモートエンジンスタート機能の指令信号（遠隔制御信号）を送受信するための、かつ、両者が比較的近い距離にある時にキーレスエントリ機能やパッシブ機能の信号（近傍制御信号）を送信するための９００ＭＨｚ帯のＵＨＦ波を送受信する。
【００３２】
制御装置２０は、上述した携帯機１０に対応するように、９００ＭＨｚ帯のＵＨＦ波を送受信するアンテナ２１および双方向通信ＩＣ２２と、携帯機１０へパッシブ機能の応答要求信号を送信するＬＦ帯の電波で送信するアンテナ２３と、これらのアンテナ（２１と２３）および双方向通信ＩＣ２２を制御する制御部２４とを有する。アンテナ２１および双方向通信ＩＣ２２は、遠隔制御信号であるリモートエンジンスタート機能の指令信号を送受信するための、かつ、近傍制御信号であるキーレスエントリ機能やパッシブ機能の信号を送信するための９００ＭＨｚ帯のＵＨＦ波を送受信する。
【００３３】
従来技術における制御システム１００Ｘでは、リモートエンジンスタート機能の指令信号を送受信するためのアンテナ等と、キーレスエントリ機能やパッシブ機能の信号を送信するためのアンテナ等が別々に存在していた。しかし、制御システム１００では、リモートエンジンスタート機能の指令信号となる遠隔制御信号を送受信するアンテナ等と、キーレスエントリ機能の指令信号やパッシブ機能の応答信号となる近傍制御信号を送信するアンテナ等が統合されている。即ち、携帯機１０においても、制御装置２０においても、同じアンテナ（１１と２１）を介して、リモートエンジンスタート機能のための遠隔制御信号とキーレスエントリ機能やパッシブ機能のための近傍制御信号の両方が送受信される。
【００３４】
制御システム１００では、キーレスエントリ機能やパッシブ機能のための近傍制御信号は、９００ＭＨｚ帯ＵＨＦ波の複数の中心周波数でキーレスエントリ機能やパッシブ機能に関する信号の全体を複数に分割して、送信側（主に携帯機１０）から送信される。即ち、近傍制御信号は、全体を複数に分割した分割信号毎に送信され、連続する分割信号の間では異なる中心周波数に切り替えてすべての分割信号が送信される（周波数ホッピング通信）。受信側（主に制御装置２０）では、携帯機１０が分割信号を送信した際の周波数に対応した中心周波数で分割信号を受信する。受信側は、基本的には、送信側が送信したすべての分割信号を、送信時に切り替えられた中心周波数と同じ中心周波数で順番に受信することで、分割される以前のキーレスエントリ機能やパッシブ機能の信号を復元することができる。このように、キーレスエントリ機能やパッシブ機能の信号を周波数ホッピングを行って通信することで、リレーアタックから防御できるセキュリティの高い通信を行うことができる。
【００３５】
一方、リモートエンジンスタート機能のための遠隔制御信号は、同じ９００ＭＨｚ帯ＵＨＦ波であって単一の中心周波数で送受信される（シングルチャネル通信）。遠隔制御信号は、リモートエンジンスタート機能に係るすべての指令信号を一回で送受信する。このように、キーレスエントリやパッシブ機能およびリモートエンジンスタート機能を明確に区別して通信を行うことで、両機能を１つの周波数帯で通信を行うことができる。
【００３６】
図２を参照し、携帯機１０において、使用者がキーレスエントリのための操作（以下、キーレス操作という）およびリモートエンジンスタートやリモートエンジンストップのための操作（以下、リモートエンジン操作という）を行った場合の制御フローを説明する。なお、フローチャートにおけるＳは、ステップを意味する。使用者は、Ｓ１００において、携帯機１０に備えられたキーレス操作またはリモートエンジン操作のためのスイッチ（図示せず）を操作する。携帯機１０の制御部１４は、このスイッチが操作されたことを検出して、Ｓ１０２において、操作された内容がキーレス操作に該当するのか、リモートエンジン操作に該当するのかをチェックする。
【００３７】
携帯機１０の制御部１４は、それがリモートエンジン操作であると検出した場合、Ｓ１０４において、エンジンの始動／停止用の送信データを作成する。または、制御部１４は、携帯機１０に備えられるメモリ（図示せず）にエンジンの始動／停止用の送信データを記憶しておき、そのメモリから当該データを読み出してもよい。携帯機１０は、Ｓ１０６において、前ステップで作成した（または読み出した）送信データを双方向通信ＩＣ１２で実際に送信する信号に変換し、所定の単一の中心周波数で、アンテナ１１を介して送信する。
【００３８】
制御部１４は、Ｓ１００で操作されたスイッチがキーレス操作であると検出した場合、Ｓ１０８において、車両のドアの施錠／解錠用の送信データをメモリから読み出す。ドアの施錠／解錠用の送信データは、メモリ内では、複数に分割された分割データとして記憶されており、また、その分割データ毎に予め割り当てられた中心周波数も対応して記憶されている。従って、制御部１４は、ドアの施錠／解錠用のそれぞれの分割データとそれらに対応する中心周波数をメモリから読み出す。そして、制御部１４は、Ｓ１１０において、各分割データを双方向通信ＩＣ１２で実際に送信する信号に変換し、それぞれに割り当てられた中心周波数で、順次アンテナ１１を介して送信する。
【００３９】
図３を参照し、携帯機１０において、キーレス操作およびリモートエンジン操作を行った場合の制御フローの変形例を説明する。なお、重複記載を避けるため、上記実施例と異なる部分を中心に説明する。Ｓ１５０〜１５６は、上記Ｓ１００〜Ｓ１０６と同じである。使用者がＳ１５０においてスイッチを操作した場合、制御部１４は、Ｓ１５２において、操作された内容がキーレス操作に該当するのか、リモートエンジン操作に該当するのかをチェックする。
【００４０】
制御部１４は、操作内容がキーレス操作であると検出した場合、Ｓ１５８において、ドアの施錠／解錠用の送信データをメモリから読み出す。ドアの施錠／解錠用の送信データは、メモリ内では１つの全体のデータとして記憶されている。制御部１４は、Ｓ１６０において、前ステップで読み出した１つの送信データを動的に分割して分割データを作成すると共に、それぞれの分割データにその分割データを送信する際の周波数を割り当てる。そして、制御部１４は、Ｓ１６２において、それぞれに分割したデータを双方向通信ＩＣ１２で実際に送信する信号に変換し、それぞれに割り当てた中心周波数で、順次アンテナ１１を介して送信する。
【００４１】
図４を参照し、携帯機１０において、制御装置２０のＬＦ波を送信するアンテナ２３からパッシブ機能の応答要求信号を受信した場合の制御フローを説明する。本図（Ａ）は、本制御フローの基本的な制御フローであり、（Ｂ）はその変形例を示す。（Ａ）においては、使用者がドアハンドルやプッシュスタートスイッチ等を操作すると、制御装置２０から携帯機１０へ応答要求信号がＬＦ波で送信される。そうすると、携帯機１０は、Ｓ２００において、ＬＦ波を受信するアンテナ１３を介して、その応答要求信号を受信する。制御部１４は、Ｓ２０２において、その応答要求信号が正規の車両からの応答要求信号であるか否かの認証チェックを行う。
【００４２】
制御部１４は、応答要求信号が正規の車両からの信号であった場合（認証に成功した場合）、Ｓ２０４において、応答要求信号に対応する、車両のドアの施錠／解錠用の送信データやエンジン始動／停止などの応答信号の各分割データおよびその各分割データに割り当てられた周波数をメモリから読み出す。そして、制御部１４は、Ｓ２０６において、各分割データをそれぞれに割り当てた中心周波数でアンテナ１１を介して順次送信する。
【００４３】
（Ｂ）においては、制御装置２０から携帯機１０へ応答要求信号がＬＦ波で送信されると、携帯機１０は、Ｓ２２０において、その応答要求信号を受信し、Ｓ２２２において、その応答要求信号が正規の車両からの応答要求信号であるか否かの認証チェックを行う。制御部１４は、認証に成功した場合、Ｓ２２４において、応答信号の送信データを作成する。そして、制御部１４は、Ｓ２２６において、その送信データを動的に分割して分割データを作成すると共に、それぞれの分割データにその分割データを送信する際の周波数を割り当てる。そして、制御部１４は、Ｓ２２８において、それぞれに分割したデータをそれぞれに割り当てた中心周波数で送信する。
【００４４】
図５を参照して、携帯機１０において、キーレス操作（またはパッシブ機能の応答要求信号を受信）およびリモートエンジン操作を行った場合の制御フローの変形例を説明する。この変形例では、制御部１４は、キーレス操作かリモートエンジン操作かによって、送信信号の変調方式を切り替えるものである。使用者がスイッチを操作したり、パッシブ機能の応答要求信号を受信した場合、制御部１４は、Ｓ２５０において、リモートエンジン機能の指令信号を送信するものなのか否かをチェックする。制御部１４は、リモートエンジン機能の指令信号を送信するものであった場合、Ｓ２５２において、リモートエンジン機能の指令信号を送信する際の変調方式としてシングルチャネル送信方式を選択する。
【００４５】
携帯機１０は、Ｓ２５４において、選択したシングルチャネル送信方式での所定の単一の周波数でリモートエンジン機能の指令信号（リモートエンジンデータ）を送信する。携帯機１０は、Ｓ２５６において、すべてのリモートエンジン機能の指令信号を送信した後、制御装置２０からの返信（シングルチャネル受信）を待機する。携帯機１０の制御部１４は、所定時間内その返信を待機し続け（Ｓ２５８、Ｓ２６０）、受信した場合または所定時間を経過した場合に処理を終了する。
【００４６】
制御部１４は、Ｓ２５０においてリモートエンジン機能の指令信号を送信するものでなかった場合、Ｓ２６２において、キーレス機能やパッシブ機能の信号を送信する際の変調方式としてＦＨ送信方式（Ｆｅｑｕｅｎｃｙ  Ｈｏｐｐｉｎｇ、周波数ホッピング）を選択する。そして、携帯機１０は、Ｓ２６４において、キーレス機能の指令信号またはパッシブ機能の信号の内該当する方をＦＨ送信方式で中心周波数を切り替えながらすべて送信する。
【００４７】
ここで、図６〜図９を参照して、携帯機１０から送信する、リモートエンジン機能の指令信号となる遠隔制御信号およびキーレス機能の指令信号やパッシブ機能の応答信号となる近傍制御信号の送信方法について説明する。
【００４８】
図６は、携帯機１０が送信するリモートエンジン機能の指令信号となる遠隔制御信号の構造を示す。遠隔制御信号は、最初に送信するプリアンブルと、携帯機１０の認証を行うための信号のＩＤと、車両の制御等を行うための指令内容（エンジン始動／停止など）を示した信号のＤＡＴＡと、誤り検出用信号のＣＲＣから構成される。遠隔制御信号は、プリアンブルからＣＲＣまでが１つの信号として１回で、所定の単一の中心周波数で送信される。なお、送信の確実性を高めるため、この１つの信号を何回か連続的に送信してもよい。また、所定の単一の中心周波数とは、日本では例えば９１５〜９３０ＭＨｚ、米国では例えば９０２〜９２８ＭＨｚの範囲内から１つの中心周波数が設定される。
【００４９】
図７は、携帯機１０が送信するキーレス機能またはパッシブ機能の信号となる近傍制御信号の構造を示す。近傍制御信号は、遠隔制御信号におけるＤＡＴＡに相当する部分が、本図では１０部分に分割された分割データを含むように構成されている。すなわち、１つの中心周波数で送信される信号は、最初に送信するプリアンブルと、携帯機１０の認証を行うための信号のＩＤと、車両の制御等を行うための指令内容（ドアの施解錠、エンジン始動／停止など）を示した信号（ＤＡＴＡ）を分割した分割データと、誤り検出用信号のＣＲＣから構成される。１つの中心周波数で送信される信号は、ＤＡＴＡを１０に分割された内の１つのデータを含み、ＦＨ送信方式に従い順番に中心周波数をＣＨ１からＣＨ１０へ変化させて、順次送信される。変化させる中心周波数は、日本では例えば９１５〜９３０ＭＨｚ、米国では例えば９０２〜９２８ＭＨｚの範囲内から適宜選択される。
【００５０】
このように、ＦＨ送信方式では、１つのキーレス機能またはパッシブ機能の信号は複数に分割され（本図の場合は１０に分割されて）、それぞれの分割された指令信号のデータは、複数の中心周波数に変化させて（本図の場合はＣＨ１〜ＣＨ１０に変化させて）、すべての分割データを順次送信する。分割データの分割数と変化させる中心周波数の数は多い方が通信上のセキュリティが高くなるが、両者の数を必ずしも一致させる必要はない。受信側では、１から１０のすべての分割データを受信して、統合すれば、１つのＤＡＴＡを復元でき、キーレス機能またはパッシブ機能の信号を実行することができる。なお、指令信号の内容が１０分割する程の長さが無い場合は、制御部１４は、適宜ダミーデータを埋め込むことにより、規定された分割数を維持する。無論、分割数が１０に限定されないことは言うまでもない。
【００５１】
図８は、ＦＨ送信における変形例を示す。図７の例では、指令信号のＤＡＴＡを１０に分割した分割データを１０の中心周波数に割り当てて、１つのキーレス機能またはパッシブ機能の信号を送信した。本図の例では、その信号のＤＡＴＡを５に分割した分割データを１０の中心周波数に割り当てて、２回繰り返して送信する。すなわち、１つの中心周波数で送信される信号は、ＤＡＴＡを５に分割された内の１つのデータを含み、ＦＨ送信方式に従い順番に中心周波数をＣＨ１からＣＨ５へ変化させて、順次送信される。すべての分割データの送信を意味する５番目の分割データを送信した後、もう一度、中心周波数をＣＨ６からＣＨ１０へ変化させて１番目から５番目の分割データを順次送信する。このように、１回の信号送信で、同一のＤＡＴＡを複数回送信する（リトライする）ことで、指令内容となるＤＡＴＡを受信できる確率を向上させることができる。
【００５２】
図９を参照して、キーレス機能またはパッシブ機能の近傍制御信号を変調する中心周波数の変化のさせ方について説明する。携帯機１０のアンテナ１１が実際に送出する電波は、本図下段に示すように、１つの分割データを１つの中心周波数で送信する時には、ある中心周波数（例えば、ＣＨ１の中心周波数）を中心として、データがＬｏ（０）を意味するデータのとき搬送波を低周波数に変化させ、Ｈｉ（１）を意味するデータのとき高周波数に変化させる方式（ＦＳＫ（Ｆｒｅｑｕｅｎｃｙ  Ｓｈｉｆｔ  Ｋｅｙｉｎｇ、周波数偏移変調））を用いてデータが送信される。本実施例では、ＦＳＫ方式を採用したが、特にこれに限定されるものではなく、例えば、ＡＳＫ方式（Ａｍｐｌｉｔｕｄｅ  Ｓｈｉｆｔ  Ｋｅｙｉｎｇ、振幅偏移変調）を用いてもよい。
【００５３】
携帯機１０は、本図の例では、ある中心周波数の前後に２５０〜５００ｋＨｚの間隔で、ＬｏとＨｉになるピーク値となるように１つの分割データを送信する。ＣＨ１の中心周波数で１つの目の分割データを送信後、本図の例では、中心周波数を送出周波数が重複しない程度に周波数を高めた（図視右方へシフトした）ＣＨ２の中心周波数で、２番目の分割データを送信する。さらに、ＣＨ２の中心周波数で２つの目の分割データを送信後、中心周波数を送出周波数が重複しない程度に周波数を高めた（図視右方へシフトした）ＣＨ３の中心周波数で、３番目の分割データを送信する。本図の例のように、順番に中心周波数を高めていくことに限定されることはなく、どのような順番で中心周波数を変化させても構わない。このように、携帯機１０からは、連続する分割信号の間では異なる中心周波数に切り替えて順次送信し、すべての分割信号（１から１０まで）が送信される。
【００５４】
図１０〜図１３を参照して、制御装置２０における、キーレス機能の指令信号やパッシブ機能の応答信号である近傍制御信号およびリモートエンジン機能の指令信号である遠隔制御信号の受信待ちについて説明する。
【００５５】
図１０は、携帯機１０が、リモートエンジン機能の遠隔制御信号を送信する単一の中心周波数（ＣＨ１）と、キーレス機能やパッシブ機能の近傍制御信号の最初の分割信号を送信する中心周波数（ＣＨ１）とを、同じ周波数で送信する場合である。この場合、制御装置２０は、間欠的にまたは継続的に、単一の中心周波数および最初の分割信号を送信する中心周波数と同じ周波数（ＣＨ１）で受信待ちのため待機している。本図では、受信待ちの長さは、ほぼ継続的に待っているように描かれているが、送信される１つの信号よりも長い時間受信待ちをしてその後受信待ちをしないようにし、間欠的に受信待ちをする方が待機中の電力を削減できるので好ましい。なお、本図における受信待ちの長さは概念的な図であり、実際は携帯機１０が送信する信号の長さに合わせて、適切な受信待ちの長さ及び間欠周期を任意に設定する。制御装置２０は、リモートエンジン機能の単一の中心周波数（ＣＨ１）か、またはキーレス機能やパッシブ機能の最初の分割信号を送信する中心周波数（ＣＨ１）のいずれかを受信すると、受信処理を開始する。なお、本実施例の場合は、制御装置２０は、ＣＨ１以外の中心周波数で信号を受信しても受信処理を開始しない。
【００５６】
図１１を参照し、リモートエンジン機能の遠隔制御信号を受信処理する場合を説明する。制御装置２０では、リモートエンジン機能の遠隔制御信号およびキーレス機能やパッシブ機能の近傍制御信号の最初の分割信号を送信する中心周波数と同じ周波数（ＣＨ１）で、間欠的に受信可能な受信待ちが行われている。その受信待ちの間に、中心周波数がＣＨ１の遠隔制御信号を受信すると、制御装置２０は、遠隔制御信号の指令内容等を含むＤＡＴＡの先頭部分を解析してリモートエンジン機能の指令信号であることを判別し、受信待ち状態から受信処理状態へ移行する。その結果、制御装置２０は、受信する中心周波数を切り替えることなく、単一の中心周波数のまま遠隔制御信号のすべてを受信する。また、受信した近傍制御信号のＩＤから認証を行い、認証が成功した場合には、ＤＡＴＡ内で規定された指令内容が実行される。
【００５７】
図１２を参照し、キーレス機能やパッシブ機能の近傍制御信号を受信処理する場合を説明する。制御装置２０では、リモートエンジン機能の遠隔制御信号およびキーレス機能やパッシブ機能の近傍制御信号の最初の分割信号を送信する中心周波数と同じ周波数（ＣＨ１）で、間欠的に受信可能な受信待ちが行われている。その受信待ちの間に、中心周波数がＣＨ１の、近傍制御信号の最初の分割信号を受信すると、制御装置２０は、その最初の分割信号を解析してキーレス機能の指令信号やパッシブ機能の応答信号の内容であることを判別し、受信待ち状態から受信処理状態へ移行する。その結果、制御装置２０は、受信する中心周波数をＣＨ１からＣＨ２へ切り替え、その後も順次受信する中心周波数をＣＨ２からＣＨ１０まで切り替えながら後続する分割信号を受信する。すなわち、受信した信号が近傍制御信号の最初の分割信号であった場合には、携帯機１０が分割信号を送信した際の周波数に対応した中心周波数に切り替えて分割信号を受信する。こうすることにより、本実施例の制御装置２０は、１つの周波数だけで受信待ちをするため、後述する複数の周波数で受信待ちを行う他の実施例に比べ、車両側の消費電力を抑えることができる。
【００５８】
携帯機１０と制御装置２０の間では事前に中心周波数をどのように切り替えるかが取り決めされており、制御装置２０は、携帯機１０が分割信号を送信した際の周波数に対応した中心周波数で分割信号のすべてを受信する。受信した近傍制御信号のＩＤから認証を行い、認証が成功した場合には、キーレス機能の指令信号の場合、ＤＡＴＡ内で規定された指令内容が実行され、また、パッシブ機能の応答信号の場合は操作のあったパッシブ機能が実行される。
【００５９】
上述したように、携帯機１０は、単一の中心周波数でリモートエンジン機能の指令信号の遠隔制御信号の全体を送信する。また、携帯機１０は、複数の中心周波数でキーレス機能やパッシブ機能の信号の近傍制御信号の全体を複数に分割した分割信号のすべてを、遠隔制御信号を送信したアンテナと同じアンテナで送信する。制御装置２０は、単一の中心周波数でリモートエンジン機能の指令信号の遠隔制御信号の全体を受信する。また、制御装置２０は、携帯機１０が分割信号を送信した際の周波数に対応した中心周波数で分割信号を受信し、中心周波数を切り替えながら分割信号のすべてを、遠隔制御信号を送信したアンテナと同じアンテナで受信する。
【００６０】
これによれば、キーレスエントリやパッシブ機能とリモートエンジンスタート機能のそれぞれに応じた変調方式を行うことで、それぞれのセキュリティレベルに合わせた通信を行うことができ、キーレスエントリやパッシブ機能においてリレーアタックから防御できるセキュリティの高い通信を行う携帯機、その携帯機と通信を行う制御装置、およびこれらの携帯機と制御装置を使用した車両用制御システムを提供できる。また、キーレスエントリやパッシブ機能およびリモートエンジンスタート機能を同じアンテナで送信することで１つの周波数帯で通信を行うことができる。
【００６１】
図１３を参照し、制御装置２０における受信待ちの制御ステップを説明する。制御装置２０は、Ｓ３００において、携帯機１０からのキーレス機能やパッシブ機能の近傍制御信号またはリモートエンジン機能の遠隔制御信号を受信する。制御装置２０は、前ステップで受信した信号の指令内容等を含むＤＡＴＡ部分（分割されたＤＡＴＡを含む）の内容情報を解析して、Ｓ３０２において、受信した信号が、キーレス機能の指令信号やパッシブ機能の応答信号の内容を示す近傍制御信号であるのか、または、リモートエンジン機能の指令信号の内容を示す遠隔制御信号であるのかの判別を行う。
【００６２】
制御装置２０は、受信した信号がパッシブ機能の応答信号であった場合（Ｓ３０４）、Ｓ３０６において、受信する中心周波数を所定のタイミングで切り替えながら、携帯機からの中心周波数毎に分割された信号を受信する。すべての分割信号を受信後、制御装置２０は、Ｓ３０８において、すべての分割信号を組み合わせて１つの指令データとして統合して、生成する。制御装置２０は、Ｓ３１０において、受信信号内のＩＤに含まれる認証情報を基にチェックし、また、すべての分割信号が受信され１つの指令内容が復元できたか否かをチェックする。制御装置２０は、認証に成功しかつ全分割信号が受信され元のＤＡＴＡが復元された場合、Ｓ３１２において、パッシブ機能を実行する。なお、パッシブ機能を実行するとは、ドアハンドル等の操作を検出した場合などのドアの施解錠の操作を認識したら施解錠を行い、また、車両内でプッシュスタートスイッチの操作を検出した場合などのエンジン始動／停止の操作を認識したらエンジンの始動／停止を行うことを言う。認証が不成功または全分割信号が受信されなかった場合は、実行せずに処理を終了する。
【００６３】
制御装置２０は、受信した信号がキーレス機能の指令信号であった場合（Ｓ３０４）、上述のパッシブ機能の応答信号であった場合と同様、Ｓ３０６〜Ｓ３１０と同じＳ３１４〜Ｓ３１８を行う。制御装置２０は、認証に成功しかつ全分割信号が受信され元のＤＡＴＡが復元された場合、Ｓ３２０において、ドアの施錠または解錠を実行する。認証が不成功または全分割信号が受信されなかった場合は、実行せずに処理を終了する。
【００６４】
制御装置２０は、受信した信号がリモートエンジン機能の指令信号であった場合（Ｓ３０４）、Ｓ３２２において、受信する中心周波数を変更せずに、携帯機からの応答信号の全体を単一の中心周波数で受信する。受信後、制御装置２０は、Ｓ３２４において、受信信号内のＩＤに含まれる認証情報を基にチェックする。認証が成功した場合は、制御装置２０は、Ｓ３２６において、エンジンの始動／停止を実行する。認証が不成功だった場合は、実行せずに処理を終了する。
【００６５】
＜第二実施例＞
図１４および図１５を参照して、本実施例の制御システム１００Ｂを説明する。なお、重複記載を避けるため、上記実施例と異なる点を中心に説明する。制御システム１００Ｂの構成は、基本的に上述した制御システム１００と同じである。制御システム１００Ｂが、制御システム１００と異なる点は、制御装置２０Ｂにおいて受信待ちを行う周波数が複数であるという点、および、キーレス機能の指令信号やパッシブ機能の応答信号の内容を示す近傍制御信号を受信待ちする中心周波数と、リモートエンジン機能の指令信号の内容を示す遠隔制御信号を受信する複数の中心周波数とにおいて、共通する周波数がないという点である。
【００６６】
制御装置２０Ｂは、近傍制御信号が送信される複数の中心周波数と、これらの複数の周波数には存在しない周波数であって遠隔制御信号が送信される単一の中心周波数とで受信待ちを行う。具体的には、本実施例の場合、制御装置２０Ｂは、遠隔制御信号が送信される単一の中心周波数ＣＨ１１と、近傍制御信号の最初の分割信号が送信される中心周波数ＣＨ１とで、連続的に１回目の受信待ちを行う。その後間欠的に引き続いて、制御装置２０Ｂは、ＣＨ１１と、遠隔制御信号が送信される単一の中心周波数とは異なる中心周波数であって、近傍制御信号の最初の分割信号が送信される中心周波数ＣＨ１とも異なる、近傍制御信号の２番目の分割信号を送信する際の中心周波数ＣＨ２とで、連続的に２回目の受信待ちを行う。さらに間欠的に引き続いて、制御装置２０Ｂは、１回目の受信待ちと同様にＣＨ１１とＣＨ１とで、連続的に３回目の受信待ちを行う。このように、携帯機１０Ｂは、単一の中心周波数（ＣＨ１１）で遠隔制御信号を受信待ちし、また、単一の中心周波数と異なる中心周波数（ＣＨ１〜ＣＨ１０）のみを含む複数の中心周波数で近傍制御信号の分割信号のすべてを受信待ちする。
【００６７】
制御装置２０Ｂは、単一の中心周波数（ＣＨ１１）および複数の中心周波数のみで使用される周波数（ＣＨ１やＣＨ２）で受信を待機する。そして、制御装置２０Ｂが周波数ＣＨ１１で受信待ちをしている時に遠隔制御信号を受信した場合、中心周波数ＣＨ１１は近傍制御信号の分割信号を送信する際には使用されてないことから、受信した信号は遠隔制御信号であることが明らかなので、受信待ち状態から受信処理状態へ移行する。この場合、受信した信号の内容に基づき遠隔制御信号または近傍制御信号の分割信号のいずれであるかを判別する必要はない。その後、制御装置２０Ｂは、受信した信号が遠隔制御信号であったので、受信する中心周波数を切り替えることなく、単一の中心周波数のまま遠隔制御信号のすべてを受信する。
【００６８】
一方、制御装置２０Ｂが周波数ＣＨ１やＣＨ２で受信待ちをしている時に、近傍制御信号の１番目や２番目の分割信号を受信した場合、受信した信号は近傍制御信号であることが明らかなので、受信待ち状態から受信処理状態へ移行する。この場合、受信した信号の内容に基づき遠隔制御信号または近傍制御信号の分割信号のいずれであるかを判別する必要はない。受信処理状態への移行後、制御装置２０Ｂは、後続の分割信号を携帯機が分割信号を送信した際の周波数に対応した中心周波数に切り替えて受信する。このような受信待ちをすることにより、例えば、最初の分割信号の受信をＣＨ１で取りこぼした場合であっても、ＣＨ２で受信することができるので、近傍制御信号を受信できる確率が増加する。近傍制御信号の分割信号を送信する中心周波数と、遠隔制御信号を送信する単一の中心周波数との間で共通する周波数が存在しないため、信号の内容を判別する必要がない。
【００６９】
図１５を参照して、制御装置２０Ｂにおける受信待ちの制御ステップを説明する。なお、重複記載を避けるために、図１３と異なる部分を中心に説明する。制御装置２０Ｂは、Ｓ５００において、携帯機１０Ｂからのキーレス機能やパッシブ機能の近傍制御信号またはリモートエンジン機能の遠隔制御信号を受信する。制御装置２０Ｂは、Ｓ５０２において、近傍制御信号の複数の分割信号を送信する中心周波数には存在しない遠隔制御信号の中心周波数ＣＨ１１で信号を受信したか否かをチェックする。その結果、中心周波数ＣＨ１１であった場合、制御装置２０Ｂは、遠隔制御信号が中心周波数ＣＨ１１以外で送信されることはないので、リモートエンジン機能に関する遠隔制御信号であると判別する。これ以降のフロー（Ｓ５２２〜Ｓ５２６）は、上記実施例のフロー（Ｓ３２２〜Ｓ３２６）と同じである。
【００７０】
遠隔制御信号の単一の中心周波数ＣＨ１１で信号を受信しなかった場合、受信した近傍制御信号の内、パッシブ機能の応答信号を含むのか、キーレス機能の指令信号を含むのかが不明である。そこで、制御装置２０Ｂは、Ｓ５０４において、上記Ｓ３０２およびＳ３０４と同様、受信した信号の指令内容等を含むＤＡＴＡ部分の内容情報に基づき、受信した信号が、キーレス機能の指令信号なのか、パッシブ機能の応答信号なのかの判別を行う。
【００７１】
その結果、受信した信号がパッシブ機能の応答信号に関する近傍制御信号であった場合は、制御装置２０Ｂは、Ｓ５０６〜Ｓ５１２（Ｓ３０６〜Ｓ３１２相当）を行う。また、受信した信号がキーレス機能の指令信号に関する近傍制御信号であった場合は、制御装置２０Ｂは、Ｓ５１４〜Ｓ５２０（Ｓ３１４〜Ｓ３２０相当）を行う。このような受信待ちをすることにより、近傍制御信号を受信できる確率が増加する。
【００７２】
＜第三実施例＞
上記実施例では、エンジンを搭載した車両における本発明の実施例を述べたが、本発明はこれに限定されることはない。本発明は、例えばエンジンを搭載しない電気自動車においても、エアコンなどを遠隔から始動／停止することに適用できる。
【００７３】
電気自動車における制御システムでは、遠隔からエアコンを始動させるリモートエアコンオン機能や、停止させるリモートエアコンオフ機能のための遠隔制御信号と、キーレスエントリ機能やパッシブ機能のための近傍制御信号が使用される。近傍制御信号は、上記実施例と同様、主に携帯機から９００ＭＨｚ帯ＵＨＦ波の複数の中心周波数でキーレスエントリ機能やパッシブ機能のための信号の全体を複数に分割して周波数ホッピングにより送信される。電気自動車側では、上記実施例と同様、携帯機が分割信号を送信した際の周波数に対応した中心周波数で分割信号を受信する。このように、キーレスエントリ機能やパッシブ機能のドアを施解錠する信号を送受信する場合、高いセキュリティを伴う通信を行うことができる。
【００７４】
リモートエアコンオン機能等に関する指令信号は、上記実施例と同様、９００ＭＨｚ帯ＵＨＦ波であって単一の中心周波数で送受信される。これによれば、キーレスエントリやパッシブ機能およびリモートエンジンスタート機能を１つの周波数帯で通信を行うことができる。なお、本実施例では、遠隔から制御したい車載機器の例としてエアコンを中心に記載したが、これに限定されることはない。他の遠隔制御信号で送信する信号としては、電気自動車の充電の開始や停止を指令する信号や、充電を開始する時刻を設定するための信号、車両に対して充電状況の連絡を指令する信号などであっても良い。
【００７５】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００７６】
１００  制御システム
１０    携帯機
１１    ＵＨＦアンテナ（送信アンテナ）
１２    双方向通信ＩＣ
１３    携帯機側ＬＦアンテナ
１４    携帯機制御部
２０    制御装置
２１    ＵＨＦアンテナ（受信アンテナ）
２２    双方向通信ＩＣ
２３    車両側ＬＦアンテナ
２４    制御装置制御部
【図１】
2015189245.tif 000003
【図２】
2015189245.tif 000004
【図３】
2015189245.tif 000005
【図４】
2015189245.tif 000006
【図５】
2015189245.tif 000007
【図６】
2015189245.tif 000008
【図７】
2015189245.tif 000009
【図８】
2015189245.tif 000010
【図９】
2015189245.tif 000011
【図１０】
2015189245.tif 000012
【図１１】
2015189245.tif 000013
【図１２】
2015189245.tif 000014
【図１３】
2015189245.tif 000015
【図１４】
2015189245.tif 000016
【図１５】
2015189245.tif 000017
【図１６】
2015189245.tif 000018